(57)【要約】【課題】  現在一般に使用されている傾斜計は多々存在する。しかしながら、計測経過時間に伴う環境温度変化の影響を大きく受けるため、温度変化の少ない短期の計測には特に問題ないが、長期の計測では温度差も激しく発生し、データ値は多大な誤差を含み、信頼性のないものとなる実用上の問題があった。【解決手段】  ケーシング内に傾斜角を検知して出力する傾斜センサ本体と、発熱体と、温度計と、温度制御装置を設け、上記温度制御装置は温度設定機能を有し温度計の出力温度値が温度設定値を維持するように発熱体の作動コントロールを行うようにした。【選択図】図１
2019124674.tif 000002
【特許請求の範囲】
【請求項１】
ケーシング内に傾斜角を検知して出力する傾斜センサ本体と、発熱体と、温度計と、温度制御装置を設け、上記温度制御装置は温度設定機能を有し温度計の出力温度値が温度設定値を維持するように発熱体の作動コントロールを行うようにしたことを特徴とする傾斜計。
【発明の詳細な説明】
【技術分野】
【０００１】  本発明は種々の環境影響による既設構造物の変形、機能性を傾斜角、変位によって確認するためのものであり、たとえば老朽化した道路橋の診断、近接工事等における既設構造物への影響診断等に採用され、これらの挙動を把握し、既設構造物の現状安全性および既設構造物に係る工事の安全性を維持するために用いられる傾斜計を提案することにある。
【背景技術】
【０００２】  従来のこの種傾斜計はひずみ出力型、サーボ型、静電容量型などにより構成されたものが存在する。しかしながら、いずれのタイプも環境温度の変化によりその出力値は影響を受け、特に５°以下の容量を有するものについては、分解能が小であるため多大な誤差が含まれるという問題があった。さらに、長期計測においては、環境温度変化が大きくなるため、この傾向はより顕著に表れるという実用上の不具合があった。
【発明の概要】
【発明が解決しようとする課題】
【０００３】  傾斜計の検出構造はその種類を問わず構造的であり、その素材性能が周囲空間温度の変化により出力値の誤差へとつながり、傾斜計の精度を阻害し、結果、正確なデータを得られないという実用的な問題となっている。特に長期にわたる計測においては環境温度変化も激しいため顕著に表れる。この問題を従来は回避できないものとの前提で、温度変化の影響を取除く温度補正がおこなわれている。しかしながら、データの温度による変化は一律ではなく、補正は極めて困難である。
【課題を解決するための手段】
【０００４】  ケーシング内に傾斜角を検知して出力する傾斜センサ本体と、発熱体と、温度計と、温度制御装置を設け、上記温度制御装置は温度設定機能を有し温度計の出力温度値が温度設定値を維持するように発熱体の作動コントロールを行うようにした。
【発明の効果】
【０００５】  ケーシング内に発熱体を設け、温度計データを反映する温度制御装置にて発熱体をコントロールし、傾斜センサ本体の周囲空間温度を任意値に一定維持するようにしたから、傾斜センサ本体の出力は温度変化の影響を受けることなく誤差を含まないものとなり、従来、通常的になされていた温度補正処理等の操作も必要とせず、特に長期に係る環境温度の変化にも対応して正確なデータを取出すことができるという実用上の優れたな効果を奏する。
【図面の簡単な説明】
【０００６】
【図１】本発明の実施形態を示す傾斜計の機能的なブロック図
【図２】本発明の実施形態を示す傾斜計の構造説明図（平面図）
【図３】本発明の実施形態を示す傾斜計の構造説明図（正面図）
【図４】本発明の実施形態を示す傾斜計の作用説明図
【発明を実施するための形態】
【０００７】  以下、本発明の実施の形態を図１〜図４を参照しながら説明する。
【０００８】  図中ａは本発明による傾斜計である。１はたとえば樹脂からなるドーム型のケーシングであり底面にはベース板２がボルト３により固定されている。ベース板２の上面（ケーシング１内空間）には電源４たとえばバッテリーにより電源を供給されＸおよびＹ方向（図２に示す）の傾斜角度を検知して、これに応じてデータ出力する傾斜センサ本体５が設けられ、このデータはデータ通信発振器６によりたとえばインターネット回線を経て所定の場所のパソコンに取込めるようになっている。さらに、ベース板２の上面（ケーシング１内空間）には電源４により電源供給される温度制御装置７、温度制御装置７に接続された温度計８、温度制御装置７に接続された発熱体９が設けられている。温度計８はケーシング１内空間の温度を計測し逐次温度データを温度制御装置７に送る。温度制御装置７は温度計８の温度データを得て発熱体９の作動をコントロールし、温度設定値を維持するすなわちケーシング１内空間温度を設定値に維持するようになっている。
【０００９】  １０は取付板であり、この実施例におけるケーシング１、ベース板２、電源４、傾斜センサ本体５、データ通信発信器６、温度制御装置７温度計８、発熱体９からなる傾斜計ａを現場等にて設置する場合に事前に使用するものである。１１は取付板１０に本発明の傾斜計ａを固定するボルトであり、さらに１２は取付板１０を計測対象に固定するボルトである。１３は傾斜センサ本体５の機能を設定するためのｃｐｕ基板である。
【００１０】  次に本発明による傾斜計の作用説明を行う。たとえば橋梁１４の上面に傾斜計ａを設置する場合、橋梁１４上面の所定場所に取付板１０をボルト１２にて固定する。ここで第２図に示すＸ方向、Ｙ方向成分の向きが所定方向に沿うことを前提に設置する。次に傾斜計ａを取付板１０に載せてボルト１１により固定する。
【００１１】そして、第４図に示すように橋梁１４上面がたとえばＸ−方向に５°傾斜すると、傾斜計ａが追従し、これを傾斜センサ本体５が感知してＸ−データが−５°と出力する（Ｙ方向も同様であり、ＸＹ方向が同時出力もする）。この傾斜に伴う出力データはデータ通信発振器６により、たとえばインターネット回線を経て所定の場所のパソコンに取込まれるようになっている。
【００１２】このように実施される傾斜計測において、短時間の計測では特に大きな問題は生じないが、長期に係る計測においては季節変動も含め、環境温度の変化が著しく発生するため、傾斜センサ本体５はこれに伴って機構的に影響を受け、その出力値は大きな誤差を含んで表出する。
【００１３】ここで、本発明では計測開始時に温度制御装置７に電源４を投入し、温度計８と発熱体９を作動する。温度制御装置７は事前にたとえば温度設定５０℃とし、ケーシング１内の温度を温度計８により計測した温度データを指針として、発熱体９の作動コントロールを行う。温度制御方法としてはたとえば４９℃にてＯＮ、５１℃にてＯＦＦというＯＮ／ＯＦＦ動作またはＰ動作（比例動作）さらにはＩ動作（積分動作）のいづれかを採用すれば良い。
【００１４】なお、温度制御装置７に与える設定温度については、計測時の予測最高温度を上回るレベルが良い。本発明においてはケーシング１内温度を冷却する機能は有していないことによる。技術的には可能であるが、コスト面から考慮して今回の形態とした。
【００１４】これにより、傾斜センサ本体５は、計測中において常時５０℃のケーシング１内の環境で作動することになり、外部環境温度に影響を受けず、長期計測においても安定した正確なデータを出力するものとなる。
【符号の説明】
【００１５】ａ  ・・・傾斜計
１  ・・・ケーシング
２  ・・・ベース板
３  ・・・ボルト
４  ・・・電源
５  ・・・傾斜センサ本体
６  ・・・データ通信発信器
７  ・・・温度制御装置
８  ・・・温度計
９  ・・・発熱体
１０・・・取付板
１１・・・ボルト
１２・・・ボルト
１３・・・ｃｐｕ基板
１４・・・橋梁
【図１】
2019124674.tif 000003
【図２】
2019124674.tif 000004
【図３】
2019124674.tif 000005
【図４】
2019124674.tif 000006